(57)【特許請求の範囲】
【請求項１】
複数の種類のペアリング方式によりペアリングを行う制御装置と、所定の種類のペアリング方式によりペアリングをそれぞれ行い、前記制御装置とペアリングを行うことにより前記制御装置と暗号化通信を行う複数の機器とを備える通信システムであって、
前記制御装置は、
前記複数の機器の各ペアリング方式の種類を前記複数の機器から取得する種類取得部と、
前記種類取得部により取得された各ペアリング方式の種類と、前記制御装置のペアリング方式の種類とから、同一のペアリング方式の種類の組み合わせを決定する組み合わせ決定部と、
前記組み合わせ決定部により決定されたペアリング方式の種類の組み合わせを、所定の条件に応じて前記複数の機器毎にユーザに提示する提示部と
を備えることを特徴とする通信システム。
【請求項２】
前記提示部は、前記組み合わせ決定部により決定されたペアリング方式の種類の組み合わせを、ペアリング方式の種類毎に予め決定された優先度に応じてユーザに提示することを特徴とする請求項１に記載の通信システム。
【請求項３】
前記提示部は、前記組み合わせ決定部により決定されたペアリング方式の種類の組み合わせを、ペアリング方式の種類毎の組み合わせの数に応じてユーザに提示することを特徴とする請求項１に記載の通信システム。
【請求項４】
前記制御装置は、前記複数の機器とのペアリングに際して、前記提示部により提示されたペアリング方式の種類毎に、一部の処理を共通とするように設定することを特徴とする請求項１〜３のいずれか1項に記載の通信システム。
【請求項５】
前記制御装置は、前記提示部により提示されたペアリング方式の種類の組み合わせのうち、プッシュボタン方式によりペアリングを行う前記複数の機器とのペアリングに際して、前記制御装置のボタンが操作されてから所定時間内にボタンが操作された前記複数の機器とのペアリングを順次自動的に行うことを特徴とする請求項１〜４のいずれか1項に記載の通信システム。
【請求項６】
前記制御装置は、前記提示部により提示されたペアリング方式の種類の組み合わせのうち、ＰＩＮコード方式によりペアリングを行う前記複数の機器とのペアリングに際して、前記複数の機器のＰＩＮコードを同一とすることを特徴とする請求項１〜４のいずれか1項に記載の通信システム。
【請求項７】
前記制御装置は、前記提示部により提示されたペアリング方式の種類の組み合わせのうち、近距離無線通信方式によりペアリングを行う前記複数の機器とのペアリングに際して、前記機器の近接を待ち受けてから所定時間内に前記制御装置に近接された前記複数の機器とのペアリングを順次自動的に行うことを特徴とする請求項１〜４のいずれか1項に記載の通信システム。
【請求項８】
複数の種類のペアリング方式によりペアリングを行い、所定の種類のペアリング方式によりペアリングをそれぞれ行う複数の機器とペアリングを行うことにより前記複数の機器と暗号化通信を行う制御装置であって、
前記複数の機器の各ペアリング方式の種類を前記複数の機器から取得する種類取得部と、
前記種類取得部により取得された各ペアリング方式の種類と、前記制御装置のペアリング方式の種類とから、同一のペアリング方式の種類の組み合わせを決定する組み合わせ決定部と、
前記組み合わせ決定部により決定されたペアリング方式の種類の組み合わせを、所定の条件に応じて前記複数の機器毎にユーザに提示する提示部と
を備えることを特徴とする制御装置。
【発明の詳細な説明】
【技術分野】
【０００１】
本発明は、複数の機器とペアリングを行う通信システム及び制御装置に関する。
【背景技術】
【０００２】
通信機器同士がペアリングを行う方式として、ＰＩＮコード方式、プッシュボタン方式（特許文献１及び２参照）、近距離無線通信方式（特許文献３参照）等、種々のペアリング方式が提案されている。通信機器は、対象とペアリングを行うことにより、対象と秘密鍵を共有する。通信機器は、複数のペアリング方式によるペアリングが可能なように構成される場合がある。
【先行技術文献】
【特許文献】
【０００３】
【特許文献１】特開２００４−２１５２３２号公報
【特許文献２】特表２０１０−５０７２８２号公報
【特許文献３】特開２００５−１８２１４５号公報
【発明の概要】
【発明が解決しようとする課題】
【０００４】
通信機器の数が増えた場合において、機器毎に行うことができるペアリング方式が異なると、ペアリングの際の操作及び処理が煩雑となる。
【０００５】
本発明は、上記問題点を鑑み、複数の機器のペアリングの際の利便性を向上する通信システム及び制御装置を提供することを目的とする。
【課題を解決するための手段】
【０００６】
上記目的を達成するために、本発明の第１の態様は、複数の種類のペアリング方式によりペアリングを行う制御装置と、所定の種類のペアリング方式によりペアリングをそれぞれ行い、制御装置とペアリングを行うことにより制御装置と暗号化通信を行う複数の機器とを備える通信システムであって、制御装置は、複数の機器の各ペアリング方式の種類を複数の機器から取得する種類取得部と、種類取得部により取得された各ペアリング方式の種類と、制御装置のペアリング方式の種類とから、同一のペアリング方式の種類の組み合わせを決定する組み合わせ決定部と、組み合わせ決定部により決定されたペアリング方式の種類の組み合わせを、所定の条件に応じて複数の機器毎にユーザに提示する提示部とを備えることを特徴とする。
【０００７】
本発明の第２の態様は、複数の種類のペアリング方式によりペアリングを行い、所定の種類のペアリング方式によりペアリングをそれぞれ行う複数の機器とペアリングを行うことにより複数の機器と暗号化通信を行う制御装置であって、複数の機器の各ペアリング方式の種類を複数の機器から取得する種類取得部と、種類取得部により取得された各ペアリング方式の種類と、制御装置のペアリング方式の種類とから、同一のペアリング方式の種類の組み合わせを決定する組み合わせ決定部と、組み合わせ決定部により決定されたペアリング方式の種類の組み合わせを、所定の条件に応じて複数の機器毎にユーザに提示する提示部とを備える制御装置であることを要旨とする。
【発明の効果】
【０００８】
本発明によれば、ペアリング方式の種類の組み合わせを考慮することにより、複数の機器のペアリングの際の利便性を向上する通信システム及び制御装置を提供することができる。
【図面の簡単な説明】
【０００９】
【図１】本発明の実施の形態に係る通信システムの基本的な構成を説明する模式的なブロック図である。
【図２】本発明の実施の形態に係る通信システムが備える制御装置の基本的な構成を説明するブロック図である。
【図３】本発明の実施の形態に係る通信システムが備える機器の基本的な構成を説明するブロック図である。
【図４】本発明の実施の形態に係る通信システムが備える制御装置の動作を説明するフローチャートである。
【図５】本発明の実施の形態に係る通信システムが備える機器の動作を説明するフローチャートである。
【図６】本発明の実施の形態に係る通信システムの動作例を説明するシーケンス図である。
【図７】本発明の実施の形態に係る通信システムが備える制御装置及び複数の機器の各ペアリング方式の種類を示す一例である。
【図８】本発明の実施の形態に係る通信システムが備える制御装置の提示部が提示する画面の一例である。
【図９】本発明の実施の形態に係る通信システムが備える制御装置の簡略化設定部の動作を説明する図である。
【図１０】本発明の実施の形態に係る通信システムが備える制御装置の簡略化設定部の動作を説明する図である。
【図１１】本発明の実施の形態に係る通信システムの動作を説明する図である。
【図１２】本発明の実施の形態に係る通信システムの動作を説明する図である。
【図１３】本発明の実施の形態に係る通信システムの動作を説明する図である。
【発明を実施するための形態】
【００１０】
次に、図面を参照して、本発明の実施形態を説明する。以下の図面の記載において、同一又は類似の部分には同一又は類似の符号を付し、重複する説明を省略している。
【００１１】
（通信システム）
本発明の実施の形態に係る通信システムは、図１に示すように、サーバ１と、制御装置２と、複数の機器３ａ〜３ｃと、サーバ１、制御装置２及び複数の機器３ａ〜３ｃを互いに通信可能に接続する通信回線４とを備える。制御装置２及び複数の機器３ａ〜３ｃは、それぞれ、所定のペアリング方式により他とペアリングを行う機能が予め組み込まれている。特に、制御装置２は、複数のペアリング方式によるペアリングを行う機能を有する。複数の機器３ａ〜３ｃの数は、図１に示す例において３としているが、２であっても、４以上であってもよい。尚、サーバ１はシステム構成上必須ではない。
【００１２】
制御装置２は、例えば、複数の機器３ａ〜３ｃの使用電力量、発電余剰電力量等を管理するホームエネルギーマネジメントシステム（ＨＥＭＳ）におけるコントローラである。この場合、複数の機器３ａ〜３ｃは、例えば、エアコン、冷蔵庫、照明装置等の家電機器や、太陽電池、蓄電池等の電源機器からそれぞれ構成される。複数の機器３ａ〜３ｃは、その他、スマートメータ、電気自動車（ＥＶ）、プラグインハイブリッド車（ＰＨＶ）、給湯器等から構成されてもよい。
【００１３】
サーバ１は、例えばインターネットを介して制御装置２と通信可能であり、制御装置２が管理する情報を蓄積したり、分析したりするようにしてもよい。通信回線４は、ケーブル、無線等の複数の種類の回線により構成されてもよい。
【００１４】
制御装置２は、図２に示すように、処理部２０と、処理部２０の制御により他と通信する通信部２７と、ユーザの操作を受け付ける入力部２８と、ユーザに情報を提示する提示部２９とを備える。通信部２７が行う通信は、無線通信であっても有線通信であってもよい。入力部２８は、例えばプッシュボタン及びポインティングデバイス等の入力装置からなり、ユーザの操作に応じた信号を処理部２０に入力する。提示部２９は、例えば液晶ディスプレイ等の表示装置からなる。入力部２８及び提示部２９は、タッチパネルディスプレイとして一体に形成されてもよい。また、提示部２９は、制御装置２と別体として設けられてもよい。
【００１５】
処理部２０は、種類取得部２１と、組み合わせ決定部２２と、提示処理部２３と、簡略化設定部２４と、ペアリング処理部２５とを論理構造として有する。処理部２０は、例えばマイクロコンピュータ等の演算処理装置から構成される。処理部２０は、プログラムや各データを記憶する記憶装置を備える。
【００１６】
種類取得部２１は、通信部２７を介して、複数の機器３ａ〜３ｃが行うことができるペアリング方式の種類を複数の機器３ａ〜３ｃに問い合わせることにより、複数の機器３ａ〜３ｃのペアリング方式の種類を取得する。
【００１７】
組み合わせ決定部２２は、種類取得部２１により取得された複数の機器３ａ〜３ｃの各ペアリング方式の種類と、制御装置２のペアリング方式の種類とから、同一のペアリング方式の種類の組み合わせを決定する。
【００１８】
提示処理部２３は、提示部２９を制御することにより、ユーザに種々の情報を提示するよう処理する。提示処理部２３は、提示部２９が、組み合わせ決定部２２により決定されたペアリング方式の種類の組み合わせを、所定の条件に応じて複数の機器３ａ〜３ｃ毎にユーザに提示するように、提示部２９を制御する。
【００１９】
簡略化設定部２４は、提示部２９により提示されたペアリング方式の種類の組み合わせについて、ペアリング方式の種類毎に、機器３ａ〜３ｃとのペアリングに際してペアリングの処理を簡略化するように設定する。
【００２０】
ペアリング処理部２５は、通信部２７を介して機器３ａ〜３ｃと通信し、所定のペアリング方式で複数の機器３ａ〜３ｃとそれぞれペアリングを行うことにより、機器３ａ〜３ｃと秘密鍵（秘密情報）を共有する。制御装置２は、ペアリング処理部２５により共有された秘密鍵を用いて、複数の機器３ａ〜３ｃと暗号化通信を行う。
【００２１】
複数の機器３ａ〜３ｃ（以下、総称する場合において単に「機器３」という）は、図３に示すように、処理部３０と、通信部３７と、入力部３８とをそれぞれ有する。通信部３７が行う通信は、無線通信であっても有線通信であってもよい。入力部２８は、例えばプッシュボタン等の入力装置からなり、ユーザの操作に応じた信号を処理部３０に入力する。
【００２２】
処理部３０は、種類応答部３１と、ペアリング処理部３２とを論理構造として有する。処理部３０は、例えばマイクロコンピュータ等の演算処理装置から構成される。処理部３０は、プログラムや各データを記憶する記憶装置を備える。
【００２３】
種類応答部３１は、通信部３７を介して、制御装置２からの問い合わせに応じて、機器３にそれぞれ組み込まれたペアリング方式の種類を応答する。ペアリング処理部３２は、通信部３７を介して制御装置２と通信し、所定のペアリング方式で制御装置２とペアリングを行うことにより、制御装置２と秘密鍵（秘密情報）を共有する。制御装置２は、ペアリング処理部３２により共有された秘密鍵を用いて、制御装置２と暗号化通信を行う。
【００２４】
―制御装置の動作―
図４のフローチャートを用いて、制御装置２の動作の一例を説明する。
先ず、ステップＳ１において、処理部３０は、複数の機器３ａ〜３ｃとのペアリングを開始する旨のユーザの入力部２８に対する操作に応じて、複数の機器３ａ〜３ｃとのペアリングを支援する設定支援プログラムを実行する。提示プログラムの実行に伴い、提示処理部２３は、例えば、「検索中」や「しばらくお待ちください」等の文字を含む起動画面を提示部２９に提示する。
【００２５】
ステップＳ２において、種類取得部２１は、複数の機器３ａ〜３ｃに組み込まれたペアリング方式の種類を複数の機器３ａ〜３ｃに順次問い合わせることにより、各ペアリング方式の種類を複数の機器３ａ〜３ｃから取得する。組み合わせ決定部２２は、種類取得部２１により取得された各ペアリング方式の種類と、制御装置２のペアリング方式の種類とから、同一のペアリング方式の種類の組み合わせを決定する。提示処理部２３は、組み合わせ決定部２２により決定されたペアリング方式の種類の組み合わせを、所定の条件に応じて複数の機器３ａ〜３ｃ毎に提示部２９によりユーザに提示する。
【００２６】
ステップＳ３において、簡略化設定部２４は、提示したペアリング方式の種類毎に、一部の処理を共通とすることにより、複数の機器３ａ〜３ｃとのペアリングを簡略化するように設定する。
【００２７】
ステップＳ４において、提示処理部２３は、ステップＳ２において提示したペアリング方式の種類からいずれかの種類を、入力部２８を介してユーザに選択させるように、ペアリング方式の種類を提示部２９によりユーザに提示する。入力部２８は、ユーザのいずれかのペアリング方式の種類を選択する操作に応じて、ペアリング方式の種類を識別する信号を処理部２０に入力する。
【００２８】
ステップＳ５において、ペアリング処理部２５は、ユーザの操作に応じて、ステップＳ４において選択されたペアリング方式でのペアリングを行う設定モードに移行する。ペアリング処理部２５は、ステップＳ６において、設定モードの間に、通信部２７を介して、複数の機器３ａ〜３ｃと順次各ペア鍵を共有することにより、複数の機器３ａ〜３ｃとのペアリングを完了する。
【００２９】
―機器の動作―
図５のフローチャートを用いて、機器３の動作の一例を説明する。
先ず、ステップＳ１１において、種類応答部３１は、制御装置２からの問い合わせに応じて、自身に組み込まれたペアリング方式の種類を応答する。
【００３０】
ステップＳ１２において、ペアリング処理部３２は、ユーザの操作に応じて、制御装置２において選択されたペアリング方式でのペアリングを行う設定モードに移行する。ステップＳ１３において、ペアリング処理部３２は、ステップＳ１３において、設定モードの間に、通信部３７を介して、制御装置２とペア鍵を共有することにより、制御装置２とのペアリングを完了する。
【００３１】
（通信システムの動作）
以下、本発明の実施の形態に係る通信システムの動作例を説明する。
先ず、図６のシーケンス図を用いて、本発明の実施の形態に係る通信システムにおいて、制御装置２が、複数の機器３ａ〜３ｄにそれぞれ組み込まれたペアリング方式の種類について、種類の組み合わせを提示する方法について説明する。
【００３２】
ステップＳ２１において、制御装置２の処理部２０は、ユーザの入力部２８に対する操作に応じて、設定支援プログラムを起動する。処理部２０は、制御装置２と通信可能に接続された複数の機器３ａ〜３ｄを検索する。
【００３３】
ステップＳ２２において、種類取得部２１は、通信部２７を介して、機器３ａに組み込まれたペアリング方式の種類を問い合わせる要求信号を機器３ａに送信する。ステップＳ２３において、機器３ａの種類応答部３１は、制御装置２から送信された要求信号を通信部３７が受信したことに応じて、機器３ａに組み込まれたペアリング方式の種類を、通信部３７を介して制御装置２に応答する。例えば、機器３ａは、近距離無線通信（ＮＦＣ）方式のみによるペアリングを行う機能が組み込まれている場合、ステップＳ２３において、ＮＦＣ方式を示す応答を制御装置２に送信する。
【００３４】
ステップＳ２４において、種類取得部２１は、通信部２７を介して、機器３ｂに組み込まれたペアリング方式の種類を問い合わせる要求信号を機器３ｂに送信する。ステップＳ２５において、機器３ｂの種類応答部３１は、制御装置２から送信された要求信号を通信部３７が受信したことに応じて、機器３ｂに組み込まれたペアリング方式の種類を、通信部３７を介して制御装置２に応答する。例えば、機器３ｂは、ＮＦＣ方式及びＰＩＮコード方式によるペアリングを行う機能が組み込まれている場合、ステップＳ２３において、ＮＦＣ方式及びＰＩＮコード方式を示す応答を制御装置２に送信する。
【００３５】
ステップＳ２６において、種類取得部２１は、通信部２７を介して、機器３ｄに組み込まれたペアリング方式の種類を問い合わせる要求信号を機器３ｄに送信する。ステップＳ２７において、機器３ｄの種類応答部３１は、制御装置２から送信された要求信号を通信部３７が受信したことに応じて、機器３ｄに組み込まれたペアリング方式の種類を、通信部３７を介して制御装置２に応答する。例えば、機器３ｄは、プッシュボタン方式及びＰＩＮコード方式によるペアリングを行う機能が組み込まれている場合、ステップＳ２３において、プッシュボタン方式及びＰＩＮコード方式を示す応答を制御装置２に送信する。
【００３６】
以上のように、制御装置２の種類取得部２１は、ステップＳ２１において検索されたすべての機器３ａ〜３ｄからの応答により、複数の機器３ａ〜３ｄの各ペアリング方式の種類を取得する。
【００３７】
例えば、制御装置２は、図７に示すように、ＮＦＣ方式及びＰＩＮコード方式によるペアリングを行うことができる機能が組み込まれているとする。また、種類取得部２１は、機器３ａがＮＦＣ方式、機器３ｂがＮＦＣ方式及びＰＩＮコード方式、機器３ｃがＮＦＣ方式及びプッシュボタン方式、機器３ｄがプッシュボタン方式及びＰＩＮコード方式のように、各ペアリング方式の種類を取得したとする。なお、機器名Ｃ１は制御装置２を示し、機器名Ｄ１〜Ｄ４は、それぞれ機器３ａ〜３ｄを示す。
【００３８】
この場合、組み合わせ決定部２２は、制御装置２及び機器３ａについて、ＮＦＣ方式の組み合わせのみを決定する。組み合わせ決定部２２は、制御装置２及び機器３ｂについて、ＮＦＣ方式の組み合わせ及びＰＩＮコード方式の組み合わせを決定する。組み合わせ決定部２２は、制御装置２及び機器３ｃについて、ＮＦＣ方式の組み合わせのみを決定する。組み合わせ決定部２２は、制御装置２及び機器３ｄについて、ＰＩＮコード方式の組み合わせのみを決定する。
【００３９】
提示処理部２３は、図８に示すように、組み合わせ決定部２２により決定されたペアリング方式の種類の組み合わせから、所定の条件に応じて、複数の機器３ａ〜３ｄ毎に組み合わせを選択し、提示部２９によりユーザに提示する。すなわち、図７に示す例において、制御装置２及び機器３ｂについて、ＮＦＣ方式及びＰＩＮコード方式の２つの組み合わせが組み合わせ決定部２２によりを決定されるが、提示処理部２３は、所定の条件により、いずれかの組み合わせを選択して提示する。
【００４０】
例えば、提示処理部２３は、ペアリング方式の種類毎に予め決定された優先度に応じて、ペアリング方式の種類の組み合わせを提示する。ＮＦＣ方式よりＰＩＮコード方式の方が、優先度が高いと予め決定されているとすると、提示処理部２３は、機器３ｂ（Ｄ２）について、ＰＩＮコード方式の組み合わせを選択して提示する。
【００４１】
また、提示処理部２３は、ペアリング方式の種類毎の組み合わせの数に応じて、ペアリング方式の種類の組み合わせを提示するようにしてもよい。図７に示す例において、組み合わせ決定部２２により決定された組み合わせの数は、ＮＦＣ方式が３、ＰＩＮコード方式が２であり、ＮＦＣ方式が最多方式となる。この場合、提示処理部２３は、機器３ｂ（Ｄ２）について、ＮＦＣ方式の組み合わせを選択して提示する。
【００４２】
或いは、提示処理部２３は、図８に示すように、種類毎の優先度及び種類毎の組み合わせの数の両方に応じた、ペアリング方式の種類の組み合わせをそれぞれ提示するようにしてもよい。
【００４３】
簡略化設定部２４は、提示処理部２３により提示されたペアリング方式の種類毎に、一部の処理を共通とすることにより、複数の機器３ａ〜３ｄとのペアリングを簡略化するように設定する。
【００４４】
簡略化設定部２４は、図９に示すように、優先度という条件に応じて提示されたペアリング方式の種類の組み合わせについて、ＮＦＣ方式の機器３ａ及び機器３ｃとのペアリングに際して、処理の一部を共通とするように設定する。具体的には、簡略化設定部２４は、機器３ａ及び３ｃの近接を待ち受ける設定モードに移行してから所定時間内に制御装置２に近接された機器３ａ及び機器３ｃとのペアリングを順次自動的に行うように設定する。
【００４５】
また、簡略化設定部２４は、ＰＩＮコード方式の機器３ｂ及び機器３ｄとのペアリングに際して、処理の一部を共通させるように設定する。具体的には、簡略化設定部２４は、機器３ｂ及び機器３ｄのＰＩＮコードを同一とするように設定する。
【００４６】
簡略化設定部２４は、図１０に示すように、種類毎の組み合わせの数という条件に応じてペアリング方式の種類の組み合わせが提示された場合、ＮＦＣ方式の機器３ａ〜３ｃについて、処理の一部を共通とするように設定する。簡略化設定部２４は、簡略化設定部２４は、機器３ａ〜３ｃの近接を待ち受ける設定モードに移行してから所定時間内に制御装置２に近接された機器３ａ〜３ｃとのペアリングを順次自動的に行うように設定する。
【００４７】
提示処理部２３は、例えば図８に示すように、提示する条件として用いたペアリング方式の種類からいずれかの種類を、入力部２８を介してユーザに選択させるように、ペアリング方式の種類を提示部２９により提示する。図８に示す例において、タッチパネルディスプレイを構成する入力部２８のうち、領域Ａ１又は領域Ａ２が操作されることにより、優先度又は組み合わせの条件が指定される。
【００４８】
ペアリング処理部２５は、ユーザの設定モードに移行する旨の入力部２８に対する操作に応じて、入力部２８により指定された条件及び簡略化設定部２４により設定された設定に基づいた設定モードに移行する。
【００４９】
以下、図１１〜図１３のシーケンス図を用いて、ペアリング方式の種類毎に、制御装置２及び機器３がペアリングを行う場合の制御装置２及び機器３の動作の一例を説明する。
【００５０】
先ず、図１１のシーケンス図を用いて、複数の機器３ａ〜３ｃが、入力部２８により指定された条件及び簡略化設定部２４により設定された設定からＮＦＣ方式によるペアリングを行うと決定された場合の動作を説明する。
【００５１】
ステップＳ３０１において、ペアリング処理部２５は、入力部２８に対するユーザの操作に応じて、機器３ａ〜３ｃの近接を待ち受ける設定モードに移行する。ステップＳ３０２において、機器３ａは、入力部３８に対するユーザの操作に応じて、制御装置２の近接を待ち受ける設定モードに移行する。
【００５２】
ステップＳ３０３において、制御装置２及び機器３ａは、相対的に近接されることによりペアリングを自動的に開始する。ステップＳ３０４において、制御装置２及び機器３ａは、秘密鍵であるペア鍵Ｋ１を互いに共有する。
【００５３】
ステップＳ３０５において、機器３ｂは、入力部３８に対するユーザの操作に応じて、制御装置２の近接を待ち受ける設定モードに移行する。ステップＳ３０６において、制御装置２及び機器３ｂは、相対的に近接されることによりペアリングを自動的に開始する。ステップＳ３０７において、制御装置２及び機器３ｂは、秘密鍵であるペア鍵Ｋ２を互いに共有する。
【００５４】
ステップＳ３０８において、機器３ｃは、入力部３８に対するユーザの操作に応じて、制御装置２の近接を待ち受ける設定モードに移行する。ステップＳ３０９において、制御装置２及び機器３ｃは、相対的に近接されることによりペアリングを自動的に開始する。ステップＳ３１０において、制御装置２及び機器３ｃは、秘密鍵であるペア鍵Ｋ３を互いに共有する。
【００５５】
以上のように、制御装置２は、簡略化設定部２４の設定により、単一の設定モードにおいて順次近接された機器３ａ〜３ｃとのペアリングを自動的に処理する。これにより、制御装置２は、機器３ａ〜３ｃ毎に設定モードに移行する操作が省略され、複数の機器３ａ〜３ｃとのペアリングの際の利便性を向上することができる。
【００５６】
次に、図１２のシーケンス図を用いて、複数の機器３ａ〜３ｃが、入力部２８により指定された条件及び簡略化設定部２４により設定された設定からＰＩＮコード方式によるペアリングを行うと決定された場合の動作を説明する。
【００５７】
ステップＳ４０１において、ペアリング処理部２５は、入力部２８に対するユーザの操作により、機器３ａ〜３ｃとのペアリングを待ち受ける設定モードに移行し、簡略化設定部２４により設定された共通のＰＩＮコードが入力される。ステップＳ４０２において、機器３ａは、入力部３８に対するユーザの操作により、制御装置２とのペアリングを待ち受ける設定モードに移行し、簡略化設定部２４により設定された共通のＰＩＮコードが入力される。
【００５８】
ステップＳ４０３において、制御装置２及び機器３ａは、共通のＰＩＮコードが入力されることにより、ペアリングを自動的に開始する。ステップＳ４０４において、制御装置２及び機器３ａは、秘密鍵であるペア鍵Ｋ１を互いに共有する。
【００５９】
ステップＳ４０５において、機器３ｂは、入力部３８に対するユーザの操作により、制御装置２とのペアリングを待ち受ける設定モードに移行し、簡略化設定部２４により設定された共通のＰＩＮコードが入力される。ステップＳ４０６において、制御装置２及び機器３ｂは、共通のＰＩＮコードが入力されることによりペアリングを自動的に開始する。ステップＳ４０７において、制御装置２及び機器３ｂは、秘密鍵であるペア鍵Ｋ２を互いに共有する。
【００６０】
ステップＳ４０８において、機器３ｃは、入力部３８に対するユーザの操作により、制御装置２とのペアリングを待ち受ける設定モードに移行し、簡略化設定部２４により設定された共通のＰＩＮコードが入力される。ステップＳ４０９において、制御装置２及び機器３ｃは、共通のＰＩＮコードが入力されることによりペアリングを自動的に開始する。ステップＳ４１０において、制御装置２及び機器３ｃは、秘密鍵であるペア鍵Ｋ３を互いに共有する。
【００６１】
以上のように、制御装置２は、簡略化設定部２４の設定により、単一の設定モードにおいて順次ＰＩＮコードが入力された機器３ａ〜３ｃとのペアリングを自動的に処理することができる。これにより、制御装置２は、機器３ａ〜３ｃ毎に設定モードに移行する操作が省略され、複数の機器３ａ〜３ｃとのペアリングの際の利便性を向上することができる。
【００６２】
通常、複数の機器３ａ〜３ｃは、例えば「０１２３４」、「２３４５６」、「３４５６７」ように互い異なるＰＩＮコードがそれぞれ設定される。この場合、制御装置２と、複数の機器３ａ〜３ｃとにそれぞれ異なるＰＩＮコードを入力する必要があり、ユーザの負担が大きい。複数の機器３ａ〜３ｃは、制御装置２に共通のＰＩＮコードが設定されることにより、ユーザの負担が低減される。
【００６３】
図１３のシーケンス図を用いて、複数の機器３ａ〜３ｃが、入力部２８により指定された条件及び簡略化設定部２４により設定された設定からプッシュボタン方式によるペアリングを行うと決定された場合の動作を説明する。
【００６４】
ステップＳ５０１において、ペアリング処理部２５は、ボタンとなる入力部２８に対するユーザの操作に応じて、機器３ａ〜３ｃとのペアリングを待ち受ける設定モードに移行する。ステップＳ５０２において、機器３ａは、ボタンとなる入力部３８に対するユーザの操作に応じて、制御装置２とのペアリングを待ち受ける設定モードに移行する。
【００６５】
ステップＳ５０３において、制御装置２及び機器３ａは、それぞれボタンが操作されることによりペアリングを自動的に開始する。ステップＳ５０４において、制御装置２及び機器３ａは、秘密鍵であるペア鍵Ｋ１を互いに共有する。
【００６６】
ステップＳ５０５において、機器３ｂは、ボタンとなる入力部３８に対するユーザの操作に応じて、制御装置２とのペアリングを待ち受ける設定モードに移行する。ステップＳ５０６において、制御装置２及び機器３ｂは、それぞれボタンが操作されることによりペアリングを自動的に開始する。ステップＳ５０７において、制御装置２及び機器３ｂは、秘密鍵であるペア鍵Ｋ２を互いに共有する。
【００６７】
ステップＳ５０８において、機器３ｃは、ボタンとなる入力部３８に対するユーザの操作に応じて、制御装置２とのペアリングを待ち受ける設定モードに移行する。ステップＳ５０９において、制御装置２及び機器３ｃは、それぞれボタンが操作されることによりペアリングを自動的に開始する。ステップＳ５１０において、制御装置２及び機器３ｃは、秘密鍵であるペア鍵Ｋ３を互いに共有する。
【００６８】
以上のように、制御装置２は、簡略化設定部２４の設定により、単一の設定モードにおいて順次設定モードとなった機器３ａ〜３ｃとのペアリングを自動的に処理する。これにより、制御装置２は、機器３ａ〜３ｃ毎にボタンを操作して設定モードに移行する操作が省略され、複数の機器３ａ〜３ｃとのペアリングの際の利便性を向上することができる。
【００６９】
本発明の実施の形態に係る通信システムによれば、複数の機器３の各ペアリング方式の種類の組み合わせを、ペアリング方式の種類に応じて複数の機器３毎に提示することにより、制御装置２と複数の機器３とのペアリングの際の利便性を向上することができる。
【００７０】
また、本発明の実施の形態に係る通信システムによれば、複数の機器３とのペアリングにおいて、ペアリング方式の種類毎に処理を一部共通させることにより、複数の機器３とのペアリングを、簡単に、ほぼ同時に行うことが可能となる。これにより、本発明の実施の形態に係る通信システムは、制御装置２と複数の機器３とのペアリングの際の利便性を更に向上することができる。
【００７１】
（その他の実施の形態）
上記のように、本発明を実施の形態によって記載したが、この開示の一部をなす論述及び図面は本発明を限定するものであると理解すべきではない。この開示から当業者には様々な代替実施形態、実施例及び運用技術が明らかとなろう。
【００７２】
例えば、既に述べた実施の形態において、提示処理部２３は、簡略化設定部２４により設定されたペアリング方式の機器３とのペアリングにおいて、提示部２９により具体的な操作をユーザに提示するようにしてもよい。例えば、提示処理部２３は、複数の機器３がプッシュボタン方式の場合、「機器名Ｄ１〜Ｄ４のボタンを押してください」、複数の機器３がＮＦＣ方式の場合、「機器名Ｄ１〜Ｄ４を近接させてください」等の操作を示すメッセージを提示部２９により提示する。また、提示処理部２３は、複数の機器３がＰＩＮコード方式の場合、「機器名Ｄ１〜Ｄ４にＰＩＮコード０１２３４を入力してください」のようなＰＩＮコードを含むメッセージを提示部２９により提示するようにしてもよい。
また、既に述べた実施の形態において、ペアリング方式の種類は、プッシュボタン方式、ＮＦＣ方式、ＰＩＮコード方式以外の種類であってもよい。
【００７３】
また、既に述べた実施の形態において、提示処理部２３が採用する条件は、優先度、組み合わせの数の他、機器３の各電波感度等を含めてもよい。例えば、提示処理部２３は、機器３の電波強度が弱い程、ＰＩＮコード方式及びプッシュボタン方式の優先度が高くなるように設定することができる。反対に、提示処理部２３は、機器３の電波強度が強い程、ＮＦＣ方式の優先度が高くなるように設定することができる。
【００７４】
上記のように、本発明はここでは記載していない様々な実施形態等を含むことは勿論である。したがって、本発明の技術的範囲は上記の説明から妥当な特許請求の範囲に係る発明特定事項によってのみ定められるものである。
【符号の説明】
【００７５】
２  制御装置
３，３ａ〜３ｄ  機器
２１  種類取得部
２２  組み合わせ決定部
２９  提示部
【図１】
0006283914.tif 000002
【図２】
0006283914.tif 000003
【図３】
0006283914.tif 000004
【図４】
0006283914.tif 000005
【図５】
0006283914.tif 000006
【図６】
0006283914.tif 000007
【図７】
0006283914.tif 000008
【図８】
0006283914.tif 000009
【図９】
0006283914.tif 000010
【図１０】
0006283914.tif 000011
【図１１】
0006283914.tif 000012
【図１２】
0006283914.tif 000013
【図１３】
0006283914.tif 000014